(57)【要約】【課題】視聴番組が終了した後も電源が付けっぱなしになっている場合や、画面を表示させたまま他の用事をしているような場合に、無駄な電力消費を防ぐことが出来る事のできるテレビジョン受信機の提供を目的とする。【解決手段】本発明のテレビジョン受信機１は、番組情報を取得する番組情報取得部３と、前記番組情報から番組の切り替わりを検出する切替検出部４と、前記番組の切り替わりが検出されると省電力制御を行う省電力制御部５と、を備えた。【選択図】図２
2010187248.tif 000002
【特許請求の範囲】
【請求項１】
デジタル放送信号を受信するテレビジョン受信機であって、
前記デジタル放送信号から番組情報を取得する番組情報取得部と、
前記番組情報から番組の切り替わりを検出する切替検出部と、
前記番組の切り替わりが検出されると省電力制御を行う省電力制御部と、を備えたテレビジョン受信機。
【請求項２】
前記番組情報取得部は定期的に前記番組情報を取得し、
前記切替検出部は、前記番組情報の変化を検出することにより、番組の切り替わりを検出することを特徴とする、請求項１に記載のテレビジョン受信機。
【請求項３】
前記切替検出部は、前記番組情報から番組終了時刻を読み出し、前記番組終了時刻をもって番組の切り替わりを検出することを特徴とする、請求項１に記載のテレビジョン受信機。
【請求項４】
前記省電力制御部は、画面の輝度を下げることにより前記省電力制御を行う、請求項１〜３のいずれかに記載のテレビジョン受信機。
【請求項５】
前記テレビジョン受信機は液晶テレビジョン受信機であり、
前記省電力制御部は、前記液晶のバックライトをオフにすることにより前記省電力制御を行う、請求項１〜３のいずれかに記載のテレビジョン受信機。
【発明の詳細な説明】
【技術分野】
【０００１】
この発明は、テレビジョン受信機の省電力技術に関する。
【背景技術】
【０００２】
従来のテレビジョン受信機は、視聴者が設定した画面輝度の設定状態や、部屋の明るさによって自動的に画面の輝度が制御される機能などによって、画面の輝度が決定されていた。そのため、設定された状態で常に動作していることにより、一旦電源がオンされると視聴者が映像を視聴していなくても比較的高い電力を消費していた。
【０００３】
この改善策として特許文献１では、タイマー時刻になるとＴＶ画面表示を消し、その後一定時間経過後に音声を消すものや、視聴者の視聴状態を検出してＴＶ画面表示を消すタイミングとしたりするお休みタイマー付きテレビ受信機が記載されている。
【０００４】
また、特許文献２には、オフタイマー動作と連動して表示装置の各種設定が経時的に自動変更するように設定可能な表示装置が記載されている。
【先行技術文献】
【特許文献】
【０００５】
【特許文献１】特開２０００−１２５２２７号公報
【特許文献２】特開２００７−１３５０１８号公報
【発明の概要】
【発明が解決しようとする課題】
【０００６】
特許文献１及び２は、視聴者が就寝前にテレビを見ていてそのまま寝てしまった場合に無駄な電力消費を回避するための、いわゆる「オフタイマー」機能及びそれに類した機能に連動した省電力機能に関する技術であり、通常視聴時では省電力効果を奏さない。
【０００７】
テレビジョン受信機は視聴番組を見ることが主たる目的ではあるが、視聴番組が終了した後や、朝起床してから出かける前や、帰宅時には、特段の視聴番組が無くとも電源を入れっぱなしにしていることが多い。これらの場合はテレビがついていれば良く、視聴者は映像に多くの注意を払っていないことから、映像の明るさはさほど重要な要素ではなく、通常の画面輝度のままでは無駄な電力を消費することになる。特に最近の大画面テレビジョン受信機では消費電力が大きいため、無駄な電力消費も大きくなる。
【０００８】
本発明は上記の問題点に鑑み、視聴番組が終了した後も電源が付けっぱなしになっている場合や、画面を表示させたまま他の用事をしているような場合に、無駄な電力消費を防ぐことが出来るテレビジョン受信機の提供を目的とする。
【課題を解決するための手段】
【０００９】
本発明のテレビジョン受信機は、デジタル放送信号を受信するテレビジョン受信機であって、デジタル放送信号から番組情報を取得する番組情報取得部と、番組情報から番組の切り替わりを検出する切替検出部と、番組の切り替わりが検出されると省電力制御を行う省電力制御部と、を備える。
【発明の効果】
【００１０】
本発明のテレビジョン受信機は、デジタル放送信号の番組情報から番組の切り替わりを検出する切替検出部と、番組の切り替わりが検出されると省電力制御を行う省電力制御部と、を備える。これにより、視聴番組が終了した後も電源が付けっぱなしになっている場合や、画面を表示させたまま他の用事をしているような場合に、無駄な電力消費を防ぐことが出来る。
【図面の簡単な説明】
【００１１】
【図１】実施の形態１に係るテレビジョン受信機の構成を示すブロック図である。
【図２】実施の形態１に係るテレビジョン受信機の動作を示すフローチャートである。
【図３】実施の形態２に係るテレビジョン受信機の動作を示すフローチャートである。
【発明を実施するための形態】
【００１２】
（実施の形態１）
＜構成＞
図１は、実施の形態１に係るテレビジョン受信機の構成を示すブロック図である。実施の形態１のテレビジョン受信機１は、表示画面２、番組情報取得部３、切替検出部４、省電力制御部５を備えており、液晶テレビ、プラズマテレビ等のデジタル放送を受信するテレビジョン受信機である。番組情報取得部３は、デジタル放送の番組情報を受信する。切替検出部４は、番組情報取得部３が受信した番組情報に基づいて、番組の切替を検出する。
【００１３】
省電力制御部５は、切替検出部４が番組の切替を検出すると、表示画面２に対して省電力制御を行う。具体的には、画面輝度を下げる。テレビジョン受信機１が液晶テレビである場合には、表示画面２が液晶であり、液晶のバックライトの輝度を下げるだけでなく、最も電力削減効果の高い方法として完全にオフにすることも出来る。この場合はテレビジョン受信機１からは音声だけが出力される。なお、省電力制御部５が行う省電力制御は、画面輝度の変更だけでなくその他の電力削減効果の見込める設定の変更を行っても良い。
【００１４】
すなわち、実施の形態１に係るテレビジョン受信機１は、デジタル放送信号を受信するテレビジョン受信機であって、デジタル放送信号から番組情報を取得する番組情報取得部３と、番組情報から番組の切り替わりを検出する切替検出部４と、番組の切り替わりが検出されると省電力制御を行う省電力制御部５と、を備える。これにより、視聴番組が終了した後も電源が付けっぱなしになっている場合や、画面を表示させたまま他の用事をしているような場合に、無駄な電力消費を防ぐことが出来る。
【００１５】
すなわち、実施の形態１に係るテレビジョン受信機１において、省電力制御部５は、表示画面２の輝度を下げることにより省電力制御を行う。これにより、視聴番組が終了した後も電源が付けっぱなしになっている場合や、画面を表示させたまま他の用事をしているような場合に、無駄な電力消費を防ぐことが出来る。
【００１６】
又、実施の形態１に係る液晶テレビジョン受信機１において、省電力制御部５は、液晶のバックライトをオフにすることにより省電力制御を行う。これにより、液晶テレビジョン受信機において、視聴番組が終了した後も電源が付けっぱなしになっている場合や、画面を表示させたまま他の用事をしているような場合に、無駄な電力消費を防ぐことが出来る。
【００１７】
＜動作＞
図２は、実施の形態１に係るテレビジョン受信機１の動作を示すフローチャートである。視聴者がテレビジョン受信機１の電源オンまたは電源オン以降のチャンネル切り替えを行うと（ステップＳ１）、番組情報部２が番組情報を取得する（ステップＳ２）。番組情報部２はその後一定時間毎に番組情報の再取得を行う（ステップＳ３）。
【００１８】
切替検出部４は、初期に取得した番組情報と再取得された番組情報とを比較する（ステップＳ４）。番組情報に変化がない場合は、番組情報部２が引き続き番組情報を再取得し（ステップＳ３）、番組情報の比較を繰り返す（ステップＳ４）。番組情報に変化があった場合は、視聴番組が終了したものと判断し、省電力制御部５が省電力制御を実施する（ステップＳ５）。
【００１９】
すなわち、実施の形態１に係るテレビジョン受信機において、番組情報取得部は定期的に番組情報を取得し、切替検出部４は、番組情報の変化を検出することにより、番組の切り替わりを検出する。これにより、視聴番組が終了した後も電源が付けっぱなしになっている場合や、画面を表示させたまま他の用事をしているような場合に、無駄な電力消費を防ぐことが出来る。
【００２０】
ＡＲＩＢのＢＳ／広帯域ＣＳデジタル放送運用規定（ＡＲＩＢ  ＴＲ−Ｂ１５）には、ＥＩＴ（Event Information Table）の構造が記載されている。ＥＩＴ［present/following］（現在／次番組）とはデジタル放送信号に含まれる現在・次番組の番組配列情報である。
【００２１】
番組情報取得部３は１〜３秒おきに送出されるＥＩＴ［ｐ／ｆ］を監視しておき、ＥＩＴ［ｐ］に記載されるevent_id（イベント識別番号）が変化したことにより番組情報が切り替わったと判断する。
【００２２】
省電力制御部５が行う省電力制御とは、具体的には表示画面２の輝度を下げることである。テレビジョン受信機１が液晶テレビである場合には、表示画面２が液晶であり、液晶のバックライトの輝度を下げるだけでなく、最も電力削減効果の高い方法として完全にオフにすることも出来る。この場合はテレビジョン受信機１からは音声だけが出力される。なお、省電力制御部５が行う省電力制御は、画面輝度の変更だけでなくその他の電力削減効果の見込める設定の変更を行っても良い。
【００２３】
なお、上記の説明では切替検出部４が番組情報の変化を検出した後、省電力制御部５が電力制御を開始するまでの時間については述べていないが、所定の時間が経過後に開始しても良いし、操作画面で視聴者が開始時間を任意に設定できるようにしても良い。省電力制御の開始まで所定の時間を設けることとすれば、番組が変わった後でもある程度映像状態をそのまま保持でき、その間に視聴者の操作を促す表示を表示画面２に出力することも可能である。
【００２４】
又、省電力制御動作後、視聴者が引き続き番組を継続して視聴したい場合は、リモコン操作などの方法で継続視聴の意思を入力することにより、省電力制御をやめて元の状態に回復するようにしても良い。あるいは、チャンネル切替などの視聴者の操作を、視聴者が引き続き視聴したいという意思表示であると判断して、省電力制御を中断することとしても良い。省電力制御を行う際は画面上に省電力制御中であることを示す表示を表示画面２に出力して、視聴者に状態遷移があったことを知らせることができる。
【００２５】
＜効果＞
すなわち、実施の形態１に係るテレビジョン受信機１は、デジタル放送信号を受信するテレビジョン受信機であって、デジタル放送信号から番組情報を取得する番組情報取得部３と、番組情報から番組の切り替わりを検出する切替検出部４と、番組の切り替わりが検出されると省電力制御を行う省電力制御部５と、を備える。これにより、視聴番組が終了した後も電源が付けっぱなしになっている場合や、画面を表示させたまま他の用事をしているような場合に、無駄な電力消費を防ぐことが出来る。
【００２６】
又、番組情報取得部３は定期的に番組情報を取得し、切替検出部４は、番組情報の変化を検出することにより、番組の切り替わりを検出する。これにより、視聴番組が終了した後も電源が付けっぱなしになっている場合や、画面を表示させたまま他の用事をしているような場合に、無駄な電力消費を防ぐことが出来る。
【００２７】
さらに、省電力制御部５は、表示画面２の輝度を下げることにより省電力制御を行う。これにより、視聴番組が終了した後も電源が付けっぱなしになっている場合や、画面を表示させたまま他の用事をしているような場合に、無駄な電力消費を防ぐことが出来る。
【００２８】
又、省電力制御部５は、液晶のバックライトをオフにすることにより省電力制御を行う。これにより、液晶テレビジョン受信機において、視聴番組が終了した後も電源が付けっぱなしになっている場合や、画面を表示させたまま他の用事をしているような場合に、無駄な電力消費を防ぐことが出来る。
【００２９】
（実施の形態２）
＜構成＞
実施の形態２に係るテレビジョン受信機の構成は、実施の形態１と同様であるため説明を省略する。
【００３０】
＜動作＞
図３は、実施の形態２に係るテレビジョン受信機の動作を示したフローチャートである。視聴者がテレビジョン受信機１の電源オンまたは電源オン以降のチャンネル切り替えを行うと（ステップＳ１１）、番組情報取得部３が番組情報を取得する（ステップＳ１２）。
【００３１】
切替検出部４は、番組情報取得部３が取得した番組情報から番組終了時刻を読み出し（ステップＳ１３）、番組終了時刻になったことにより番組が切り替わったことを検出する（ステップＳ１４）。実施の形態１では初期に取得された番組情報と、それ以降に一定時間毎に再取得された番組情報を比較してその差を検出し、差があった場合に視聴番組が終了したものと判断していたが、実施の形態２では番組情報の終了時刻に到達したことをもって視聴番組が終了したと判断するため、より簡単な処理となる。
【００３２】
具体的には、切替検出部４はEITからstart_timeとdulationを読み出し、これらを用いて番組の終了時刻を計算し、番組の終了時刻を持って番組の切り替わりを検出する。なお、start_timeは番組の開始時刻を示す情報であり、dulationは番組の継続時間を示す情報である。
【００３３】
省電力制御部５は、切替検出部４の番組切り替わり検出を受けて視聴番組が終了したものと判断し、省電力制御部５が省電力制御を実施する（ステップＳ１５）。
【００３４】
なお、その他の動作については、実施の形態１において述べたのと同様である。
【００３５】
すなわち、実施の形態２に係るテレビジョン受信機において、切替検出部４は、番組情報から番組終了時刻を読み出し、番組終了時刻をもって番組の切り替わりを検出することを特徴とする。これにより、視聴番組が終了した後も電源が付けっぱなしになっている場合や、画面を表示させたまま他の用事をしているような場合に、無駄な電力消費を防ぐことが出来る。
【００３６】
＜効果＞
実施の形態２に係るテレビジョン受信機によれば、既に述べたとおり以下の効果を奏する。すなわち、切替検出部４は、番組情報から番組終了時刻を読み出し、番組終了時刻をもって番組の切り替わりを検出することを特徴とする。これにより、視聴番組が終了した後も電源が付けっぱなしになっている場合や、画面を表示させたまま他の用事をしているような場合に、無駄な電力消費を防ぐことが出来る。
【符号の説明】
【００３７】
１  テレビジョン受信機、３  番組情報取得部、４  切替検出部、５  省電力制御部。
【図１】
2010187248.tif 000003
【図２】
2010187248.tif 000004
【図３】
2010187248.tif 000005